(57)【特許請求の範囲】
【請求項１】
断面略逆Ｕ字形に折曲して中央片および一対の側片を一体形成した本体部と、この本体部の前記中央片の両端に折曲されたエンド部と、このエンド部の先端に折曲されて前記中央片に平行に内方に向いたランプソケット取付用切欠を有するランプソケット支持部と、前記ランプソケット支持部の両側部に折曲されて前記一対の側片の内面に対向し前記一対の側片と同じ高さの対向片とを備え、前記本体部、前記エンド部、前記ランプソケット支持部および前記対向片が一枚の長方形状の平板から箱形に形成された照明器具の本体構造であって、
前記対向片に切り起こされた第１の係止片を有するとともに、前記側片に形成されて前記第１の係止片を挿通させ前記側片に沿って折曲させる孔を有し、前記エンド部の両側部より突出するように形成されて前記側片の端部に折曲により係止する一対の第２の係止片を有し、
しかも前記側片の外面の長手方向に沿って内方に凹ませることにより溝を形成し、前記孔を前記溝内の長手方向に延びた長孔とし、かつ前記長孔に挿通された前記第１の係止片が前記溝の長手方向に前記溝内で折曲されており、さらに前記第２の係止片を前記側片の前記溝の端部に係止し、
前記本体部の前記中央片と反対側となる前記側片の縁部が内向きに折曲されて前記ランプソケット支持部に係止した照明器具の本体構造。
【請求項２】
断面略逆Ｕ字形に折曲して中央片および一対の側片を一体形成した本体部と、この本体部の前記中央片の両端に折曲されたエンド部と、このエンド部の先端に折曲されて前記中央片に平行に内方に向いたランプソケット取付用切欠を有するランプソケット支持部と、前記ランプソケット支持部の両側部に折曲されて前記一対の側片の内面に対向し前記一対の側片と同じ高さの対向片とを備え、前記本体部、前記エンド部、前記ランプソケット支持部および前記対向片が一枚の長方形状の平板から箱形に形成された照明器具の本体構造であって、
前記対向片に切り起こされた第１の係止片を有するとともに前記側片に形成されて前記第１の係止片を挿通させ前記側片に沿って折曲させる孔を有し、前記側片の端部より突出して前記エンド部の両側部に折曲により係止する一対の第２の係止片を有し、
しかも前記側片の外面の長手方向に沿って内方に凹ませることにより溝を形成し、前記側片の前記孔を前記溝内の長手方向に延びた長孔とし、かつ前記長孔に挿通された前記第１の係止片が前記溝の長手方向に前記溝内で折曲されており、さらに前記第２の係止片は前記側片の前記溝の端部に有し、
前記本体部の前記中央片と反対側となる前記側片の縁部が内向きに折曲されて前記ランプソケット支持部に係止した照明器具の本体構造。
【発明の詳細な説明】
【０００１】
【発明の属する技術分野】
この発明は、照明器具の本体構造に関するものである。
【０００２】
【従来の技術】
従来例を図９に示す。すなわち、この照明器具は、器具本体７０と、ランプソケット７１と、反射板７２と、直管形の蛍光ランプ７３とを備えている。
図１０は照明器具の本体構造であり、断面略逆Ｕ字形に折曲して中央片７５および一対の側片７６を一体形成した本体部７４と、この本体部７４の中央片７５の両端に折曲されたエンド部７７と、このエンド部７７の先端に折曲されて中央片７５に平行に内方に向いたランプソケット取付用切欠７８を有するランプソケット支持部７９と、エンド部７７およびランプソケット支持部７９の一方の側部に折曲されて側片７６の内面に対向する対向片８０とを備え、対向片８０に係止突片８１を設け、側片７６に孔８２を形成して係止突片８１を孔８２に通し側片７６に沿って折曲するとともに、リベット８３を対向片８０と側片７６に通して、対向片８０と側片７６とを連結している。
【０００３】
【発明が解決しようとする課題】
しかし、この従来例は、リベット８３の別部品を使用してエンド部７７を本体部７４に固定しているため、部品点数が増大してコストアップし、また外観上見苦しいという問題があった。
リベットに代えてねじ等を用いても別部品である点で同じ問題がある。
【０００４】
したがって、この発明の目的は、外観を損なうことなく部品点数を削減し安価にできる照明器具の本体構造を提供することである。
【０００５】
【課題を解決するための手段】
請求項１記載の照明器具の本体構造は、断面略逆Ｕ字形に折曲して中央片および一対の側片を一体形成した本体部と、この本体部の前記中央片の両端に折曲されたエンド部と、このエンド部の先端に折曲されて前記中央片に平行に内方に向いたランプソケット取付用切欠を有するランプソケット支持部と、前記ランプソケット支持部の両側部に折曲されて前記一対の側片の内面に対向し前記一対の側片と同じ高さの対向片とを備え、前記本体部、前記エンド部、前記ランプソケット支持部および前記対向片が一枚の長方形状の平板から箱形に形成された照明器具の本体構造であって、
前記対向片に切り起こされた第１の係止片を有するとともに、前記側片に形成されて前記第１の係止片を挿通させ前記側片に沿って折曲させる孔を有し、前記エンド部の両側部より突出するように形成されて前記側片の端部に折曲により係止する一対の第２の係止片を有し、
しかも前記側片の外面の長手方向に沿って内方に凹ませることにより溝を形成し、前記孔を前記溝内の長手方向に延びた長孔とし、かつ前記長孔に挿通された前記第１の係止片が前記溝の長手方向に前記溝内で折曲されており、さらに前記第２の係止片を前記側片の前記溝の端部に係止し、
前記本体部の前記中央片と反対側となる前記側片の縁部が内向きに折曲されて前記ランプソケット支持部に係止したものである。
【０００６】
請求項１記載の照明器具の本体構造によれば、第１の係止片および第２の係止片により外観を損なうことなく本体部とエンド部の連結ができ、また展開状態の平板から新たに材料を増やすことなく第１の係止片および第２の係止片を一体形成するため、部品点数が増加することがなくコストアップにならない。
【０００７】
また、第１の係止片および第２の係止片により、エンド部への外部からの衝撃に対してエンド部が本体部の内方に入りこんだり、エンド部の出過ぎを規制できるため外観が向上する。また製造ばらつきで発生するエンド部と側片との間のすき間が第２の係止片により低減できる。
【０００９】
請求項２記載の照明器具の本体構造は、断面略逆Ｕ字形に折曲して中央片および一対の側片を一体形成した本体部と、この本体部の前記中央片の両端に折曲されたエンド部と、このエンド部の先端に折曲されて前記中央片に平行に内方に向いたランプソケット取付用切欠を有するランプソケット支持部と、前記ランプソケット支持部の両側部に折曲されて前記一対の側片の内面に対向し前記一対の側片と同じ高さの対向片とを備え、前記本体部、前記エンド部、前記ランプソケット支持部および前記対向片が一枚の長方形状の平板から箱形に形成された照明器具の本体構造であって、
前記対向片に切り起こされた第１の係止片を有するとともに前記側片に形成されて前記第１の係止片を挿通させ前記側片に沿って折曲させる孔を有し、前記側片の端部より突出して前記エンド部の両側部に折曲により係止する一対の第２の係止片を有し、
しかも前記側片の外面の長手方向に沿って内方に凹ませることにより溝を形成し、前記側片の前記孔を前記溝内の長手方向に延びた長孔とし、かつ前記長孔に挿通された前記第１の係止片が前記溝の長手方向に前記溝内で折曲されており、さらに前記第２の係止片は前記側片の前記溝の端部に有し、
前記本体部の前記中央片と反対側となる前記側片の縁部が内向きに折曲されて前記ランプソケット支持部に係止したものである。
【００１０】
請求項２記載の照明器具の本体構造によれば、第１の係止片および第２の係止片により外観を損なうことなく本体部とエンド部の連結ができ、また展開状態の平板から新たに材料を増やすことなく、第１の係止片および第２の係止片を一体形成するため、部品点数が増加することがなくコストアップにならない。また、第１の係止片および第２の係止片により、エンド部への外部からの衝撃に対してエンド部の出過ぎを規制できるため外観が向上する。また製造ばらつきで発生するエンド部と側片との間のすき間が第２の係止片により低減できる。
【００１１】
【発明の実施の形態】
この発明の第１の実施の形態を図１および図２により説明する。すなわち、この照明器具の本体構造は、本体部１と、エンド部２と、ランプソケット支持部３とを有する。
本体部１は、断面略逆Ｕ字形に折曲して中央片４および一対の側片５を一体形成している。
【００１２】
エンド部２は、本体部１の中央片４の両端に折曲されている。実施の形態では、エンド部２の側部に折曲されて側片５の内面に対向する対向片６を有する。
ランプソケット支持部３は、エンド部２の先端に折曲されて中央片４に平行に内方に向いたランプソケット取付用切欠７を有する。ランプソケット（図示せず）は基部の両側に溝（図示せず）を形成し、その溝がランプソケット取付用切欠７の縁部に沿って係合し、これによりランプソケットがランプソケット支持部３に取付けられる。
【００１３】
また係止突片８がエンド部２および対向片６の側片５との当たり部分に形成されており、これは対向片６に形成された第１の係止片９と、エンド部２の両側部に形成される一対の第２の係止片１０とを有する。第１の係止片９は２筋の切込みによりその間に形成され、第２の係止片１０は略コ字形の切込みにより切起こして形成している。また受け部１１として、側片５に形成されて第１の係止片９を挿通し側片５に沿って折曲させる孔１２を形成するとともに、側片５の長手方向に沿って孔１２上に延びた溝１３を形成しその端部を受け部１１に利用し第２の係止片１０を受けるようにしている。
【００１４】
図２は展開状態であり、長方形状の平板１４より打ち抜き加工して実線の形状を形成し、破線部分で折曲加工して図１のように組み立てる。なお、側片５の縁部１５は内向きに折曲されてその端部がランプソケット支持部３上に係止している。
この実施の形態によれば、係止突片８および受け部１１により外観を損なうことなく本体部１とエンド部２の連結の補強ができ、また展開状態の平板１４から新たに材料を増やすことなく係止突片８を一体形成するため、部品点数が増加することがなくコストアップにならない。また製造ばらつきで発生するエンド部２と側片５との間のすき間Ｈが第２の係止片１０により低減できる。また係止突片８および受け部１１によりエンド部２の出過ぎや入り込みを規制できるため外観が向上できる。
【００１５】
とくに第２の係止片１０はエンド部２への外部からの衝撃に対してエンド部２が本体部１の内方に入りこむのを防止できる。なお、対向片６はエンド部２の両側に設けてもよく、この場合の展開図は図３に示すようになる。
この発明の第２の実施の形態を図４に示す。すなわち、この照明器具の本体構造は、第１の実施の形態において、第１の係止片１０を側片５の溝部１３の端部に形成し、受け部はエンド部２側として、第１の係止片１０をエンド部２の表面にかしめている。
【００１６】
この実施の形態では、エンド部２の外側への移動がより確実に防止できるほか、その他は第１の実施の形態と同様である。
この発明の第３の実施の形態を図５に示す。すなわち、この照明器具の器具本体は、第１の実施の形態の係止突片８および受け部１１に代えて、係止突片８を側片５の縁部１５の各々に一対の切筋を付けてその間に形成し、受け部１１をランプソケット支持部３の両側に孔により形成し、係止突片８を折曲して受け部１１に嵌合している。
【００１７】
この実施の形態によれば、とくに係止突片８の両側が受け部１１の縁部にＡ点等で接しているためエンド部２の外側への移動が防止できるとともに、本体部１の側片５の外側への開きを防止できるほか、その他は第１の実施の形態と同様である。
なお、第１の実施の形態の第１の係止片９および孔１２を第３の実施の形態にも設けた場合、第３の実施の形態の受け部１１は孔ではなく切欠でもよい。
【００１８】
この発明の第４の実施の形態を図６に示す。すなわち、この照明器具の器具本体は、第３の実施の形態の係止突片８および受け部１１に代えて、係止突片８をランプソケット支持部３の両側に切起こし、受け部１１を側片５の縁部１５に孔により形成し、係止突片８を折曲して受け部１１に嵌合している。
その他は第３の実施の形態と同様である。
【００１９】
なお、第１の実施の形態の第１の係止片９および孔１２を第４の実施の形態にも設けた場合、第３の実施の形態の受け部１１は孔ではなく切欠でもよい。
この発明の第５の実施の形態を図７および図８に示す。すなわち、この照明器具の器具本体は、第１の実施の形態の係止突片８の第２の係止片１０を除去し、第１の係止片９を２枚重ねに折返してなり、第１の係止片９を受け部１１の孔１２に通し側片５に沿って折曲している。
【００２０】
この実施の形態では、係止片９の厚みが２倍になるので強度が増すのでリベット等の別部品を必要としないほか、その他は第１の実施の形態と同様である。
なお、第１の実施の形態または第２の実施の形態に、第３の実施の形態または第４の実施の形態を組み合わせることは可能であり、またそれらに第４の実施の形態を組み合わせることも可能である。
【００２１】
【発明の効果】
請求項１記載の照明器具の本体構造によれば、第１の係止片および第２の係止片により外観を損なうことなく本体部とエンド部の連結ができ、また展開状態の平板から新たに材料を増やすことなく第１の係止片および第２の係止片を一体形成するため、部品点数が増加することがなくコストアップにならない。
【００２２】
また第１の係止片および第２の係止片により、エンド部への外部からの衝撃に対してエンド部が本体部の内方に入りこんだり、エンド部の出過ぎを規制できるため外観が向上する。また製造ばらつきで発生するエンド部と側片との間のすき間が第２の係止片により低減できる。
【００２３】
請求項２記載の照明器具の本体構造によれば、第１の係止片および第２の係止片により外観を損なうことなく本体部とエンド部の連結ができ、また展開状態の平板から新たに材料を増やすことなく、第１の係止片および第２の係止片を一体形成するため、部品点数が増加することがなくコストアップにならない。また、第１の係止片および第２の係止片により、エンド部への外部からの衝撃に対してエンド部の出過ぎを規制できるため外観が向上する。また製造ばらつきで発生するエンド部と側片との間のすき間が第２の係止片により低減できる。
【図面の簡単な説明】
【図１】この発明の第１の実施の形態の要部斜視図である。
【図２】その展開図である。
【図３】その変形形態の部分展開図である。
【図４】第２の実施の形態の要部斜視図である。
【図５】第３の実施の形態の要部斜視図である。
【図６】第４の実施の形態の要部斜視図である。
【図７】第５の実施の形態の要部斜視図である。
【図８】その係止突片の部分を拡大した部分拡大図である。
【図９】従来例を適用した照明器具の斜視図である。
【図１０】その器具本体の上下を逆にした要部斜視図である。
【符号の説明】
１    本体部
２    エンド部
３    ランプソケット支持部
４    中央片
５    側片
６    対向片
７    ランプソケット取付用切欠
８    係止突片
９    第１の係止片
１０    第２の係止片
１１    受け部
１２    孔
１３    溝
１５    縁部
【図１】
0004248613.tif 000002
【図２】
0004248613.tif 000003
【図３】
0004248613.tif 000004
【図４】
0004248613.tif 000005
【図５】
0004248613.tif 000006
【図６】
0004248613.tif 000007
【図７】
0004248613.tif 000008
【図８】
0004248613.tif 000009
【図９】
0004248613.tif 000010
【図１０】
0004248613.tif 000011